(57)【要約】【課題】顧客向けシステムを利用するユーザがデータ内容の明細を確認する際に、瞬時にデータ内容の明細の概要を視覚的に把握することを可能にすること。【解決手段】本システムは、ＷＥＢサーバと、データベースサーバとを備える。ＷＥＢサーバは、ユーザ閲覧用サイトと、画像取得用サイトと、一定時間ごとに、データベースのデータテーブルにアクセスして、新規データおよび更新データがあった場合、画像取得用サイトに、新規・更新データに関連付けられた画面を作成するよう要求して、画面画像を取得する画面画像バッチ処理部とを含む。また、ユーザ閲覧用サイトは、認証されたユーザがユーザ及びデータテーブルに含まれる１つのデータＩＤに関連付けられた所定の画面を表示させるよう要求したときに、取得した画面画像に、その画面画像に対応する画面に遷移するリンクが付与された画面を作成するＷＥＢ画面作成部を含む。【選択図】図８
2008276419.tif 000002
【特許請求の範囲】
【請求項１】
ユーザ端末からインターネットを介してアクセスすることができるユーザ閲覧用サイトを含むＷＥＢサーバと、データベースサーバとを備えたデータのビジュアルキャビネットシステムであって、
前記データベースサーバは、
インターネットを介して前記ユーザ閲覧用サイトにアクセスすることを許可させるユーザのユーザＩＤ、パスワード及び契約者アカウントを有するユーザマスタテーブルと、
前記契約者アカウントに関連付けられた、データＩＤを含むデータの集合を有するデータテーブルと
を備え、
前記ＷＥＢサーバは、
前記ユーザ閲覧用サイトのミラーサイトである画像取得用サイトと、
一定時間ごとに、前記データテーブルにアクセスして、該データテーブルに新規データ及び更新データがあった場合、前記画像取得用サイトに、全ての前記新規データ及び前記更新データに関連付けられた１つまたは複数のＨＴＭＬ画面を作成するよう要求して、該１つまたは複数のＨＴＭＬ画面の画像を取得する画面画像バッチ処理部と
を備え、
前記ユーザ閲覧用サイトは、
インターネットを介して前記ユーザ端末から受信したユーザＩＤ及びパスワードと、前記ユーザマスタテーブルが有する前記ユーザＩＤ及び前記パスワードとを照合して、前記ユーザ閲覧用サイトへのアクセスを許可するか否かを判定するユーザ認証部と、
前記画面画像バッチ処理部が取得した前記１つまたは複数のＨＴＭＬ画面の画像を格納する画面画像格納部と、
認証された前記ユーザ端末から、前記契約者アカウント及び前記データテーブルに含まれる１つのデータＩＤに関連付けられた所定のＨＴＭＬ画面を表示させるよう要求されたときに、前記契約者アカウント及び前記１つのデータＩＤに関連付けられた、前記画面画像格納部に格納された前記１つまたは複数のＨＴＭＬ画面の画像に、該１つまたは複数のＨＴＭＬ画面の画像に対応するＨＴＭＬ画面に遷移するリンクが付与された前記所定のＨＴＭＬ画面を作成するＷＥＢ画面作成部と
を含み、
前記１つまたは複数のＨＴＭＬ画面は、前記契約者アカウント及び前記１つのデータＩＤに関連付けられた最新の情報を表示することを特徴とするデータのビジュアルキャビネットシステム。
【請求項２】
前記ユーザ閲覧用サイトは、
認証された前記ユーザ端末から、前記所定のＨＴＭＬ画面を表示させるよう要求されたときに、前記契約者アカウント及び前記１つのデータＩＤに関連付けられた前記１つまたは複数のＨＴＭＬ画面の画像が前記画面画像格納部に格納されていない場合、前記画像取得用サイトに、前記契約者アカウント及び前記１つのデータＩＤに関連付けられた前記１つまたは複数のＨＴＭＬ画面を要求して、該１つまたは複数のＨＴＭＬ画面の画像を取得し、前記画面画像格納部に格納させる画面画像作成部
をさらに含むことを特徴とする請求項１に記載のデータのビジュアルキャビネットシステム。
【請求項３】
前記データベースサーバは、
前記契約者アカウントごとに、前記画面画像バッチ処理部が取得した前記１つまたは複数のＨＴＭＬ画面の画像を前記所定のＨＴＭＬ画面に表示させるか否かに関する情報と、前記１つまたは複数のＨＴＭＬ画面の画像のレイアウトを定めたテンプレートとを有する表示パターンマスタテーブル
をさらに備えたことを特徴とする請求項１又は２に記載のデータのビジュアルキャビネットシステム。
【請求項４】
ユーザ端末からインターネットを介してアクセスすることができるユーザ閲覧用サイト、前記ユーザ閲覧用サイトのミラーサイトである画面取得用サイト、及び画面画像バッチ処理部を含むＷＥＢサーバであって、前記ユーザ閲覧用サイトは、画面画像格納部及びＷＥＢ画面作成部を含むＷＥＢサーバと、インターネットを介して前記ユーザ閲覧用サイトにアクセスすることを許可させるユーザのユーザＩＤ、パスワード及び契約者アカウントを有するユーザマスタテーブル、及び、前記契約者アカウントに関連付けられた、データＩＤを含むデータの集合を有するデータテーブルを含むデータベースサーバとを備えたデータのビジュアルキャビネットシステムにおけるデータ表示方法であって、
前記画面画像バッチ処理部は、一定時間ごとに、前記データテーブルにアクセスして、該データテーブルに新規データ及び更新データがあった場合、前記画像取得用サイトに、全ての前記新規データ及び更新データに関連付けられた１つまたは複数のＨＴＭＬ画面を作成するよう要求して、該１つまたは複数のＨＴＭＬ画面の画像を取得し、前記画面画像格納部に格納させ、
前記ユーザ認証部は、インターネットを介して前記ユーザ端末から受信したユーザＩＤ及びパスワードと、前記ユーザマスタテーブルが有する前記ユーザＩＤ及び前記パスワードとを照合して、前記ユーザ閲覧用サイトへのアクセスを許可するか否かを判定し、
認証された前記ユーザ端末から、前記契約者アカウント及び前記データテーブルに含まれる１つのデータＩＤに関連付けられた所定のＨＴＭＬ画面を表示させるよう要求されたときに、前記ＷＥＢ画面作成部は、前記契約者アカウント及び前記１つのデータＩＤに関連付けられた、前記画面画像格納部に格納された前記１つまたは複数のＨＴＭＬ画面の画像に、該１つまたは複数のＨＴＭＬ画面の画像に対応するＨＴＭＬ画面に遷移するリンクが付与された前記所定のＨＴＭＬ画面を作成する
ことを特徴とするデータ表示方法。
【請求項５】
前記ユーザ閲覧用サイトは、画面画像作成部をさらに含み、前記画面画像作成部は、認証された前記ユーザ端末から、前記所定のＨＴＭＬ画面を表示させるよう要求されたときに、前記契約者アカウント及び前記１つのデータＩＤに関連付けられた前記１つまたは複数のＨＴＭＬ画面の画像が前記画面画像格納部に格納されていない場合、前記画像取得用サイトに、前記契約者アカウント及び前記１つのデータＩＤに関連付けられた前記１つまたは複数のＨＴＭＬ画面を要求して、該１つまたは複数のＨＴＭＬ画面の画像を取得し、前記画面画像格納部に格納させることを特徴とする請求項４に記載のデータ表示方法。
【請求項６】
前記データベースサーバは、
前記契約者アカウントごとに、前記画面画像バッチ処理部が取得した前記１つまたは複数のＨＴＭＬ画面の画像を前記所定のＨＴＭＬ画面に表示させるか否かに関する情報と、前記１つまたは複数のＨＴＭＬ画面の画像のレイアウトを定めたテンプレートとを有する表示パターンマスタテーブル
をさらに備えたことを特徴とする請求項４又は５に記載のデータ表示方法。
【発明の詳細な説明】
【技術分野】
【０００１】
本発明は、データのビジュアルキャビネットシステム及びそのシステムを利用したデータ表示方法に関する。
【背景技術】
【０００２】
従来、インターネットを活用した顧客向けシステムにおいて、顧客が閲覧を望むデータ内容の明細を確認しようとするときには、テキスト文字や単純な画像で表されたメニュー情報をクリックすることにより、そのメニューに合わせた各種項目がデータベースから取得され、それらの項目が表示されたＷＥＢページを開いて、データ内容の明細を確認するという手法が一般的であった。
【０００３】
また、例えば、企業からの電子的なＩＲ（投資家向け広報）情報を特定会社に送信し、この受けたＩＲ情報を自動的に特定会社のホームページの当該企業ページにレイアウトして、閲覧者（投資家）に提供するサイトが知られている。
【０００４】
上述のサイトでは、投資家の画面上の企業サイトの項目ごとのアイコンにカーソルをもってきたとき、投資家が企業のサイトを項目毎にいつ見たかを把握させ、投資家に企業が更新した最新のサイトを参照したかどうかを把握させることが可能なリンクシステムが開示されている（例えば、特許文献１参照）。
【０００５】
【特許文献１】特開２００３−３１６８０９号公報
【発明の開示】
【発明が解決しようとする課題】
【０００６】
しかしながら、このようなリンクシステムを利用しても、最終的に顧客が望む情報を閲覧するためには、テキスト文字や単純な画像で表されたメニュー情報に依存しながら、各種のデータ内容のＷＥＢページを開いて、その明細を確認していくことになり、そのシステムを利用する顧客にとっては非常に煩雑な作業とある。
【０００７】
そこで、本発明は、上述の点に鑑みて、インターネットを介して顧客向けシステムを利用する顧客がデータ内容の明細を確認する際に、瞬時にデータ内容の明細の概要を視覚的に把握することを可能にするための、データのビジュアルキャビネットシステム及びそのシステムを利用したデータ表示方法を提供することを目的とする。
【課題を解決するための手段】
【０００８】
このような目的を達成するために、請求項１に記載の発明は、ユーザ端末からインターネットを介してアクセスすることができるユーザ閲覧用サイトを含むＷＥＢサーバと、データベースサーバとを備えたデータのビジュアルキャビネットシステムであって、前記データベースサーバは、インターネットを介して前記ユーザ閲覧用サイトにアクセスすることを許可させるユーザのユーザＩＤ、パスワード及び契約者アカウントを有するユーザマスタテーブルと、前記契約者アカウントに関連付けられた、データＩＤを含むデータの集合を有するデータテーブルとを備え、前記ＷＥＢサーバは、前記ユーザ閲覧用サイトのミラーサイトである画像取得用サイトと、一定時間ごとに、前記データテーブルにアクセスして、該データテーブルに新規データ及び更新データがあった場合、前記画像取得用サイトに、全ての前記新規データ及び前記更新データに関連付けられた１つまたは複数のＨＴＭＬ画面を作成するよう要求して、該１つまたは複数のＨＴＭＬ画面の画像を取得する画面画像バッチ処理部とを備え、前記ユーザ閲覧用サイトは、インターネットを介して前記ユーザ端末から受信したユーザＩＤ及びパスワードと、前記ユーザマスタテーブルが有する前記ユーザＩＤ及び前記パスワードとを照合して、前記ユーザ閲覧用サイトへのアクセスを許可するか否かを判定するユーザ認証部と、前記画面画像バッチ処理部が取得した前記１つまたは複数のＨＴＭＬ画面の画像を格納する画面画像格納部と、認証された前記ユーザ端末から、前記契約者アカウント及び前記データテーブルに含まれる１つのデータＩＤに関連付けられた所定のＨＴＭＬ画面を表示させるよう要求されたときに、前記契約者アカウント及び前記１つのデータＩＤに関連付けられた、前記画面画像格納部に格納された前記１つまたは複数のＨＴＭＬ画面の画像に、該１つまたは複数のＨＴＭＬ画面の画像に対応するＨＴＭＬ画面に遷移するリンクが付与された前記所定のＨＴＭＬ画面を作成するＷＥＢ画面作成部とを含み、前記１つまたは複数のＨＴＭＬ画面は、前記契約者アカウント及び前記１つのデータＩＤに関連付けられた最新の情報を表示することを特徴とする。
【０００９】
請求項２に記載の発明は、請求項１に記載のデータのビジュアルキャビネットシステムであって、前記ユーザ閲覧用サイトは、認証された前記ユーザ端末から、前記所定のＨＴＭＬ画面を表示させるよう要求されたときに、前記契約者アカウント及び前記１つのデータＩＤに関連付けられた前記１つまたは複数のＨＴＭＬ画面の画像が前記画面画像格納部に格納されていない場合、前記画像取得用サイトに、前記契約者アカウント及び前記１つのデータＩＤに関連付けられた前記１つまたは複数のＨＴＭＬ画面を要求して、該１つまたは複数のＨＴＭＬ画面の画像を取得し、前記画面画像格納部に格納させる画面画像作成部をさらに含むことを特徴とする。
【００１０】
請求項３に記載の発明は、請求項１又は２に記載のデータのビジュアルキャビネットシステムであって、前記データベースサーバは、前記契約者アカウントごとに、前記画面画像バッチ処理部が取得した前記１つまたは複数のＨＴＭＬ画面の画像を前記所定のＨＴＭＬ画面に表示させるか否かに関する情報と、前記１つまたは複数のＨＴＭＬ画面の画像のレイアウトを定めたテンプレートとを有する表示パターンマスタテーブルをさらに備えたことを特徴とする。
【００１１】
請求項４に記載の発明は、ユーザ端末からインターネットを介してアクセスすることができるユーザ閲覧用サイト、前記ユーザ閲覧用サイトのミラーサイトである画面取得用サイト、及び画面画像バッチ処理部を含むＷＥＢサーバであって、前記ユーザ閲覧用サイトは、画面画像格納部及びＷＥＢ画面作成部を含むＷＥＢサーバと、インターネットを介して前記ユーザ閲覧用サイトにアクセスすることを許可させるユーザのユーザＩＤ、パスワード及び契約者アカウントを有するユーザマスタテーブル、及び、前記契約者アカウントに関連付けられた、データＩＤを含むデータの集合を有するデータテーブルを含むデータベースサーバとを備えたデータのビジュアルキャビネットシステムにおけるデータ表示方法であって、前記画面画像バッチ処理部は、一定時間ごとに、前記データテーブルにアクセスして、該データテーブルに新規データ及び更新データがあった場合、前記画像取得用サイトに、全ての前記新規データ及び更新データに関連付けられた１つまたは複数のＨＴＭＬ画面を作成するよう要求して、該１つまたは複数のＨＴＭＬ画面の画像を取得し、前記画面画像格納部に格納させ、前記ユーザ認証部は、インターネットを介して前記ユーザ端末から受信したユーザＩＤ及びパスワードと、前記ユーザマスタテーブルが有する前記ユーザＩＤ及び前記パスワードとを照合して、前記ユーザ閲覧用サイトへのアクセスを許可するか否かを判定し、認証された前記ユーザ端末から、前記契約者アカウント及び前記データテーブルに含まれる１つのデータＩＤに関連付けられた所定のＨＴＭＬ画面を表示させるよう要求されたときに、前記ＷＥＢ画面作成部は、前記契約者アカウント及び前記１つのデータＩＤに関連付けられた、前記画面画像格納部に格納された前記１つまたは複数のＨＴＭＬ画面の画像に、該１つまたは複数のＨＴＭＬ画面の画像に対応するＨＴＭＬ画面に遷移するリンクが付与された前記所定のＨＴＭＬ画面を作成することを特徴とする。
【００１２】
請求項５に記載の発明は、請求項４に記載のデータ表示方法であって、前記ユーザ閲覧用サイトは、画面画像作成部をさらに含み、前記画面画像作成部は、認証された前記ユーザ端末から、前記所定のＨＴＭＬ画面を表示させるよう要求されたときに、前記契約者アカウント及び前記１つのデータＩＤに関連付けられた前記１つまたは複数のＨＴＭＬ画面の画像が前記画面画像格納部に格納されていない場合、前記画像取得用サイトに、前記契約者アカウント及び前記１つのデータＩＤに関連付けられた前記１つまたは複数のＨＴＭＬ画面を要求して、該１つまたは複数のＨＴＭＬ画面の画像を取得し、前記画面画像格納部に格納させることを特徴とする。
【００１３】
請求項６に記載の発明は、請求項４又は５に記載のデータ表示方法であって、前記データベースサーバは、前記契約者アカウントごとに、前記画面画像バッチ処理部が取得した前記１つまたは複数のＨＴＭＬ画面の画像を前記所定のＨＴＭＬ画面に表示させるか否かに関する情報と、前記１つまたは複数のＨＴＭＬ画面の画像のレイアウトを定めたテンプレートとを有する表示パターンマスタテーブルをさらに備えたことを特徴とする。
【発明の効果】
【００１４】
本発明によれば、インターネットを介してデータ内容の明細を参照する際に、瞬時にデータ内容の明細の概要を視覚的に把握することが可能になる。  
また、本発明によれば、ユーザごとの種別により格納されている画面画像を個々のユーザごとのニーズに応じた種類及びレイアウトで表示することが可能となる。
【発明を実施するための最良の形態】
【００１５】
以下、図面を参照しながら、本発明の実施形態について詳細に説明する。本明細書で参照される各図面において、同様の機能を有する箇所には同一の符号を付している。なお、以下の説明では、保険業を例に挙げて説明するが、本発明は保険業に限定されず、事業・商売等の様々な業務に適用することができる。
【００１６】
（システム構成）  
図１は、本実施形態に係るビジュアルキャビネットシステム１００の構成を示すブロック図である。ビジュアルキャビネットシステム１００は、ＷＷＷ（World Wide Web）を使用するノードであるＷＥＢサーバ１０１と、保険業務に関連するクレームデータやユーザ（契約者）情報の集合をデータベース１１１として格納するデータベースサーバ１１０と、外部からの不正アクセスを防止するファイアウォール１０９とから構成されている。なお、本実施形態では、データベースに格納するデータとしてクレームデータを想定しているが、本発明は、このようなデータに限定されるものではない。
【００１７】
ＷＥＢサーバ１０１は、ユーザが、パーソナルコンピュータ（ＰＣ）等のユーザ端末１１３ａ〜１１３ｎからインターネット１１２を介して、各種情報が処理されて出力されたＨＴＭＬ画面にアクセスする契約者閲覧者用サイト１０２と、ユーザ端末１１３ａ〜１１３ｎの出力画面に表示させる最新のＨＴＭＬ画面の画像（以降、キャビネット画面画像、または、画面画像とも呼ぶ）を取得するためのＷＥＢサイトである画像取得用サイト１０７と、画像取得用サイト１０７におけるＨＴＭＬ画面を一定時間ごとに要求して、ユーザ端末１１３ａ〜１１３ｎの出力画面に表示させるキャビネット画面画像を作成し、後述する契約者閲覧者用サイト１０２の画面画像格納部１０４にキャビネット画面画像を格納させる画像取得バッチ処理部１０８とを含んでいる。
【００１８】
契約者閲覧者用サイト１０２は、ユーザによる契約者閲覧用サイトへのアクセスを認証するユーザ認証部１０６と、ユーザＩＤ／パスワード入力画面等を含むＨＴＭＬ画面をユーザ端末１１３ａ〜１１３ｎに表示させるためのＨＴＭＬ（HyperText Markup Language）を記述するＷＥＢ画面作成部１０３と、キャビネット画面画像を格納する画面画像格納部１０４と、画像取得用サイト１０７におけるＨＴＭＬ画面を要求して、ユーザ端末１１３ａ〜１１３ｎの出力画面に表示させるキャビネット画面画像を作成し、画面画像格納部１０４にキャビネット画面画像を格納させるキャビネット画面画像作成部１０５とを含んでいる。
【００１９】
図２は、本実施形態に係るビジュアルキャビネットシステム１００を構成するサーバコンピュータのハードウェア構成の一例を示すブロック図である。図２に示す構成のサーバコンピュータは、図１に示したＷＥＢサーバ１０１およびデータベースサーバ１１１のいずれにも使用される。なお、ＷＥＢサーバ１０１およびデータベースサーバ１１１の各々を、複数のサーバコンピュータによって構成させてもよい。さらに、ＷＥＢサーバ１０１を、本ビジュアルキャビネットシステム１００によって提供される業務ロジックを提供する機能を有するサーバと、その業務ロジックによって処理されたデータをユーザに出力画面として提供する機能を有するサーバとに分散させてもよい。
【００２０】
サーバコンピュータ２００は、装置全体の制御を行うＣＰＵ（Central Processing Unit）２０１と、装置全体を制御するためのシステムプログラム等が格納されたＲＯＭ（Read Only Memory）２０２と、一次記憶領域であるＲＡＭ（Random Access Memory）２０６とがバス２１３を介して接続されている。また、本発明に関する処理を実行するためのプログラムが格納されたプログラムメモリ２１２と、キーボード２１０およびマウス２１１に接続されるキーボード・マウスインターフェース（Ｉ／Ｆ）２０８と、ディスプレイ２０５に接続されるビデオＩ／Ｆ２０４と、インターネットとの通信を行うモデム等の通信Ｉ／Ｆ２０３と、ハードディスク２０９に接続される入出力Ｉ／Ｆ２０７とがバス２１３に接続されている。
【００２１】
本実施形態に係る各処理は、後述する各処理を実現するプログラムのプログラムコードを記録したプログラムメモリ２１２から、ＣＰＵ２０１がそのプログラムコードを読み出して実行することにより達成されるものである。
【００２２】
ＷＥＢサーバ１０１およびデータベースサーバ１１０は、各々の機能を実現するためのプログラムモジュールとして設計される。例えば、ユーザ端末１１３ａ〜１１３ｎへ画面を表示する手段として、それらユーザ端末との通信を実現する通信プログラム、入力画面等をＨＴＴＰ（HyperText Transfer Protocol）で送信するＷＥＢサーバプログラム、およびクライアントのブラウザに入力画面等を表示させるプログラムを使用する。入力画面等を表示させるプログラムとしては、例えば、Ｍｉｃｒｏｓｏｆｔ社のＷｉｎｄｏｗｓ（登録商標）上のＷＥＢサーバであるＩＩＳ（Internet Information Services）が有するＡＳＰ（Active Server Pages）を使用することができる。また、ＷＥＢページを介して受信した情報に基づくデータベース検索等の情報処理も、ＡＳＰにより実行することができる。
【００２３】
さらに、データベースサーバ１１０におけるデータベース１１１の管理処理やＷＥＢサーバ１０１によるデータベース１１１のアクセス処理は、それぞれ周知のデータベースサーバ用およびデータベースクライアント用のアプリケーションプログラムにより実行される。
【００２４】
これらのプログラムは、高級手続型プログラミング言語、オブジェクト指向プログラミング言語、アセンブリ言語、機械語に加えて、ＨＴＭＬ等のマークアップ言語で記述される。このような実現方法において、ハードディスク、光磁気ディスク、光ディスク、ＣＤ−ＲＯＭ、ＣＤ−Ｒ、磁気テープ、不揮発性メモリカード、ＲＯＭ等により構成されるプログラムメモリ２１２は、コンピュータ読取り可能な記録媒体として機能する。
【００２５】
図３は、本実施形態に係るビジュアルキャビネットシステム１００を構成するＷＥＢサーバ１０１のより詳細な構成を示すブロック図である。
【００２６】
契約者閲覧用サイト１０２のＷＥＢ画面作成部１０３は、ＨＴＭＬファイルにより表される静的なＨＴＭＬ画面を作成したり、例えば前述のＡＳＰを使用して動的なＨＴＭＬ画面を作成したりすることができる。ＷＥＢ画面作成部１０３は、ユーザ端末１１３ａ〜１１３ｎの出力画面に表示させる、ユーザが認証を行うためのユーザＩＤ／パスワード入力画面３０１と、各種のサービスを提供する画面に遷移するためのメニュー画面３０２と、クレームデータの一覧を表示するキャビネット一覧画面３０３と、１つのクレームデータに関する各種キャビネット画面画像を表示するキャビネット明細画面３０４とのＨＴＭＬを記述する。さらに、ＷＥＢ画面作成部１０３は、ユーザ端末１１３ａ〜１１３ｎの出力画面に表示させる、１つのクレームデータに関する明細を表示するデータ明細表示画面３０５と、１つのクレームデータに関する履歴情報を表示する履歴表示画面３０６と、１つのクレームデータに関する製品等の画像ファイル等を表示する添付ファイル表示画面３０７と、１つのクレームデータに関して発行した保険金の請求書の履歴を表示する保険金請求書発行履歴表示画面３０８とのＨＴＭＬを記述する。本実施形態では、ＷＥＢ画面作成部１０３は、これらのＨＴＭＬ画面を作成するが、本発明は、このようなＨＴＭＬ画面に限定されるものではない。
【００２７】
契約者閲覧用サイト１０２のユーザ認証部１０６は、ユーザ端末１１３ａ〜１１３ｎのユーザＩＤ／パスワード入力画面を介して送信されたユーザＩＤおよびパスワードと、データベースサーバ１１０のデータベース１１１に格納されているユーザＩＤおよびパスワードとを照合して、正規のユーザであるか否かを認証する。ユーザ認証部１０６が正規のユーザであると認証した場合には、ＷＥＢ画面作成部１０３により作成されたメニュー画面３０２がユーザ端末１１３ａ〜１１３ｎの出力画面に表示される。
【００２８】
契約者閲覧用サイト１０２の画面画像格納部１０４は、後述するキャビネット画面画像作成部１０５、または、後述する画像取得バッチ処理部１０８が作成した画面画像ファイルを契約者アカウント別に格納する。
【００２９】
契約者閲覧用サイト１０２のキャビネット画面画像作成部１０５は、後述する画像取得用サイト１０７にアクセスして、ログインしたユーザが選択した、ビジュアルキャビネットシステム１００で使用するクレームデータに関する全てのＨＴＭＬ画面（本実施形態では、上記４種類のＨＴＭＬ画面３０５〜３０８）を取得するために、画像取得用サイト１０７のＷＥＢ画面作成部３０９に、それらＨＴＭＬ画面用のＨＴＭＬを記述させる。次いで、キャビネット画面画像作成部１０５は、それらＨＴＭＬ画面を取得して、周知のキャプチャソフトを用いて、ＨＴＭＬ画面の画像ファイルを作成し、契約者閲覧用サイト１０２の画面画像格納部１０４の契約者アカウント別フォルダ（ディレクトリ）に画面画像ファイルを格納する。
【００３０】
ここで、後述する画像取得バッチ処理部１０８の処理は一定時間ごとに実行されるため、ユーザが選択したクレームデータに関する画面画像が画面画像格納部１０４に存在しないこともある。そこで、ユーザが選択したクレームデータに関する画面画像が画面画像格納部１０４に存在しない場合には、ユーザがクレームデータを選択したときに、キャビネット画面画像作成部１０５がそれらの画面画像を作成することになる。このキャビネット画面画像作成部１０５の処理については、図１０を参照して後述する。なお、本実施形態では、ＨＴＭＬ画面の画像ファイルは、ｇｉｆファイルであるが、ｊｐｅｇファイルやｐｎｇファイル等の画像ファイルとしてもよい。
【００３１】
画像取得用サイト１０７は、契約者閲覧用サイト１０２のＷＥＢ画面作成部１０３と同様のＷＥＢ画面作成部３０９を有しており、ＷＥＢ画面作成部３０９は、契約者閲覧用サイト１０２におけるデータ明細表示画面３０５と、履歴表示画面３０６と、添付ファイル表示画面３０７と、保険金請求書発行履歴表示画面３０８と同一のＨＴＭＬ画面のＨＴＭＬを記述する。この画像取得用サイト１０７は、契約者閲覧用サイト１０２のミラーサイトであって、ビジュアルキャビネットシステム１００内からのみアクセスできるＷＥＢサイトであり、ユーザ（契約者）を含む外部からはアクセスが許可されない。
【００３２】
画像取得バッチ処理部１０８は、データベースサーバ１１０のデータベース１１１に格納されているクレームデータにアクセスして、新規の、および更新されたクレームデータに関する全てのＨＴＭＬ画面を取得するために、画像取得用サイト１０７のＷＥＢ画面作成部３０９に、それらＨＴＭＬ画面用のＨＴＭＬを記述させる。次いで、画像取得バッチ処理部１０８は、それらＨＴＭＬ画面を取得して、周知のキャプチャソフトを用いて、ＨＴＭＬ画面の画像ファイルを作成し、契約者閲覧用サイト１０２の画面画像格納部１０４の契約者アカウント別フォルダ（ディレクトリ）に画面画像ファイルを格納する。画像取得バッチ処理部１０８の処理については、図８を参照して後述する。上記と同様に、本実施形態では、ＨＴＭＬ画面の画像ファイルは、ｇｉｆファイルであるが、その他の画像ファイルとしてもよい。また、本実施形態において、このバッチ処理は１０分ごとに実行されるが、例えば、５分ごとに実行されてもよいし、１５分ごとに実行されてもよい。
【００３３】
図４は、本実施形態に係るビジュアルキャビネットシステム１００を構成するＷＥＢサーバ１０１における画面画像格納部１０４の説明図である。
【００３４】
図示するように、画面画像格納部１０４には、契約者アカウントごとにフォルダ（ディレクトリ）４０１ａ〜４０１ｋが存在する。例えば、フォルダ（ディレクトリ）４０１ａは、契約者アカウント「account01」用であり、フォルダ（ディレクトリ）４０１ｂは、契約者アカウント「account02」用であり、フォルダ（ディレクトリ）４０１ｋは、契約者アカウント「accountK」用である。
【００３５】
各フォルダ（ディレクトリ）には、契約者アカウント名と、データの識別番号（データＩＤ）と、画面番号とによって一意なファイル名となる画面画像ファイルが格納される。例えば、本実施形態では、契約者アカウント「account01」用のフォルダ（ディレクトリ）４０１ａには、「account01_ID01_screen01.gif」および「account01_ID08_screen02.gif」という一意なファイル名を有するファイルが格納されている。このファイル名の命名規則は例示にすぎず、ファイル名が、契約者アカウント名と、データの識別番号（データＩＤ）と、画面番号とによって一意になるようであれば、どのような命名規則を用いてもよい。なお、本実施形態では、データ明細表示画面３０５を「screen01」、履歴表示画面３０６を「screen02」、添付ファイル表示画面３０７を「screen03」、保険金請求書発行履歴表示画面３０８を「screen04」として識別している。
【００３６】
図５は、本実施形態に係るビジュアルキャビネットシステム１００を構成するデータベースサーバ１１０のデータベース１１１におけるユーザマスタテーブル５００の説明図である。
【００３７】
ユーザマスタテーブル５００は、ログイン認証のために使用されるものであり、ユーザＩＤフィールド、パスワードフィールド、および契約者アカウントフィールドから構成されている。
【００３８】
図６は、本実施形態に係るビジュアルキャビネットシステム１００を構成するデータベースサーバ１１０のデータベース１１１におけるデータテーブル６００の説明図である。
【００３９】
データテーブル６００は、データＩＤフィールド、契約者アカウントフィールド、最終更新日フィールド、新規・更新フラグフィールド、クレーム番号フィールド、および、その他任意の数のフィールドから構成されている。
【００４０】
データＩＤフィールドは、クレームデータを一意に定めるフィールドである。契約者アカウントフィールドは、クレームデータに関わる契約者アカウントを示すフィールドである。最終更新日フィールドは、クレームデータが最後に更新された日付を示すフィールドである。新規・更新フラグフィールドは、クレームデータが新規に追加されたもの（図６では、新規として示されている）であるか、更新されたもの（図６では、更新として示されている）であるか、または、新規のデータでも更新されたデータでもないもの（図６では、変化なしとして示されている）であるかを示すフィールドである。クレーム番号は、本システムを提供する保険会社が、クレームの種別に合わせて一意に付与したデータの番号を示すフィールドである。
【００４１】
図７は、本実施形態に係るビジュアルキャビネットシステム１００を構成するデータベースサーバ１１０のデータベース１１１における表示パターンマスタテーブル７００の説明図である。
【００４２】
表示パターンマスタテーブル７００は、契約者アカウントフィールド、表示パターンフィールド、画面画像１フィールド、画面画像２フィールド、画面画像３フィールド、および、画面画像４フィールドから構成されている。表示パターンとは、キャビネット明細画面３０４のデザインや、その画面３０４に表示される各画面画像のレイアウトを予め定めたテンプレートを意味する。このテンプレートは、例えば、画面画像格納部１０４等の所定の場所にファイルとして格納されている。
【００４３】
また、本実施形態では、画面画像１はデータ明細表示画面画像を示し、画面画像２フィールドは履歴表示画面画像を示し、画面画像３フィールドは添付ファイル表示画面画像を示し、画面画像４フィールドは保険金請求書発行履歴表示画面画像を示している。これら４つのフィールドは、画面画像１〜４をキャビネット明細画面３０４に表示させるか否かを示すフィールドある。本実施形態では、前述の４つの画面画像を用いているが、本発明は、このような画面画像に限定されるものではなく、任意の数の画面画像及び任意のレイアウトを用いることができる。
【００４４】
さらに、ユーザは、不図示のＷＥＢ画面を介して、表示パターン、および、画面画像１〜４の表示・非表示を変更することができ、ユーザ専用のキャビネット明細画面３０４を選択することができる。
【００４５】
（動作説明）  
以上述べた構成において、次に、図１１〜図１９により示される、本実施形態に係るビジュアルキャビネットシステムにより提供される各種ＷＥＢ画面の例を参照しながら、その動作について説明する。
【００４６】
図８は、本実施形態に係るビジュアルキャビネットシステム１００における画像取得バッチ処理部１０８の処理を示すフロー図である。
【００４７】
まず、データベースサーバ１１０にアクセスし、データベース１１１のデータテーブル６００において、新規データおよび更新データが存在するか否かを検索する（Ｓ８０１）。新規データおよび更新データが存在しない場合、この処理は終了する。
【００４８】
Ｓ８０１において、新規データおよび更新データが存在した場合、新規データおよび更新データのうちの１つの識別番号（データＩＤ）を取得する（Ｓ８０２）。画像取得用サイト１０７では、データＩＤを含むＵＲＬに対して各ＨＴＭＬが記述されるため、次いで、取得した識別番号（データＩＤ）から、画像取得用サイト１０７のＵＲＬを特定する（Ｓ８０３）。
【００４９】
次いで、画像取得用サイト１０７にログインして、取得した識別番号（データＩＤ）により特定されたＵＲＬにアクセスし、ユーザに表示するか否かに関わらず、当該データに関する全てのＨＴＭＬ画面（本実施形態では、４つの画面）用のＨＴＭＬをＷＥＢ画面作成部３０９に記述させる（Ｓ８０４）。ここで、セキュリティの目的上、画像取得用サイト１０７にログインするためには、認証が行われるが、当該処理を実行するためのプログラムには、認証に必要なＩＤおよびパスワードが設定されているため、ログイン認証ではじかれることはない。
【００５０】
次いで、周知のキャプチャソフトを用いて、Ｓ８０４にて記述されたＨＴＭＬにより表されるＨＴＭＬ画面の各画面画像ファイル（本実施形態ではｇｉｆファイル）を作成する（Ｓ８０５）。この画面画像ファイルは、契約者アカウントと、データの識別番号（データＩＤ）と、画面番号とから一意になるようにファイル名が決定される。次いで、作成した各画面画像ファイルを画面画像格納部１０４の契約者アカウント別フォルダ（ディレクトリ）に格納する（Ｓ８０６）。ここで、以前に作成された同一ファイルが存在する場合は、新しいファイルに上書きされ、画面画像格納部１０４には、常に最新の画面画像が格納されることになる。
【００５１】
次いで、データベースサーバ１１０にアクセスし、データベース１１１のデータテーブル５００において、当該データの新規・更新フラグフィールドを「変化なし」に変更し、まだ新規データおよび更新データが存在するか否かを検索する（Ｓ８０７）。新規データおよび更新データが存在しない場合、この処理は終了する。一方、新規データおよび更新データが存在する場合は、Ｓ８０２に戻って、これらのステップを繰り返し実行する。
【００５２】
なお、本実施形態では、画像取得バッチ処理は、１０分ごとに実行されるが、５分ごとに実行されてもよいし、１５分ごとに実行されてもよい。
【００５３】
次に、図９を参照して、本実施形態に係るビジュアルキャビネットシステム１００により提供されるキャビネット明細画面３０４を作成するプロセスを説明する。
【００５４】
図９は、本実施形態に係るビジュアルキャビネットシステム１００により提供されるキャビネット明細画面３０４を作成するプロセスを示すフロー図である。
【００５５】
まず、ユーザ認証部１０６は、ユーザにより、図１１に示すようなユーザＩＤ／パスワード入力画面３０１を介して送信されたユーザＩＤおよびパスワードと、データベース１１１のユーザマスタテーブル５００に格納されているユーザＩＤおよびパスワードとを照合する（Ｓ９０１）。それらユーザＩＤおよびパスワードが一致しない場合は、再度Ｓ９０１を繰り返す。一方、ユーザＩＤおよびパスワードが一致した場合（例えば、ＩＤとして、「user01」を、ＰＡＳＳＷＯＲＤとして、「password01」を入力して、「LOGIN」をクリックした場合）は、ユーザ用のメニュー画面３０２（図１２参照）をユーザ端末の出力画面に表示させる（Ｓ９０２）。
【００５６】
次に、図１２におけるＣａｂｉｎｅｔボタンをユーザがクリックして、ＷＥＢサーバ１０１が、キャビネット一覧画面を選択したことを示す信号を受信すると（Ｓ９０３）、ＷＥＢ画面作成部１０３が、ユーザＩＤにより特定される契約者アカウントのキャビネット一覧画面３０３用のデータをデータベース１１１のデータテーブル６００から取得し（Ｓ９０４）、図１３に示すようなキャビネット一覧画面３０３をユーザ端末の出力画面に表示させる（Ｓ９０５）。本実施形態では、キャビネット一覧画面３０３において、データは、デフォルトとして、最終更新日の降順で１０件ずつ表示される（図１３参照）。
【００５７】
また、キャビネット一覧画面３０３において、データＩＤやクレーム番号等の項目名称をクリックすることにより、選択した項目の降順にデータが並び替わる。例えば、図１４は、クレーム番号をクリックした場合のキャビネット一覧画面３０３を示している。
【００５８】
さらに、キャビネット一覧画面３０３において、図１３および図１４の左上にあるプルダウンを選択すると、キャビネット一覧画面３０３に表示される件数が変更される。例えば、図１５は、図１３に示したキャビネット一覧画面３０３において、データの件数が１０件から２０件に変更されたキャビネット一覧画面３０３を示している。
【００５９】
図９に戻ると、次にユーザが、図１３〜図１５におけるキャビネット一覧画面３０３において、例えば、対象とするデータのデータＩＤ部をクリックしたり、図の下部に示したデータＩＤやクレーム番号等の入力フィールドに、データを一意に特定できるキーを入力して「GO」ボタンをクリックしたりすることによって、ＷＥＢサーバ１０１が、対象とするデータを選択したことを示す信号を受信したとする（Ｓ９０６）。このとき、契約者アカウントをキーにして、データベース１１１の表示パターンマスタテーブル７００から、キャビネット明細画面３０４に表示させる、その契約者アカウント用の表示パターンおよび画面画像を特定する（Ｓ９０７）。例えば、ログインしたユーザが「user01」であった場合、図５および図７を参照すると、契約者アカウントは「account01」であり、表示パターンとして、パターン１（不図示）が選択され、画面画像１〜４の全ての画面画像が、キャビネット明細画面３０４に表示されることになる。
【００６０】
次いで、キャビネット明細画面３０４に表示させる画面画像が、画面画像格納部１０４に存在するか否かが判定される（Ｓ９０８）。Ｓ９０８において、キャビネット明細画面３０４に表示させる画面画像が、画面画像格納部１０４に存在すると判定された場合、ＷＥＢ画面作成部１０３は、表示させる画面画像に遷移先のリンクを付与して、例えば、図１６に示すような、その画面画像が表示されたキャビネット明細画面３０４を表示させる（Ｓ９１０）。ここで、図１６に示した「Claim Data」のタイトルで示される画像は、データ明細表示画面画像であり、「History」のタイトルで示される画像は、履歴表示画面画像であり、「Attachment」のタイトルで示される画像は、添付ファイル表示画面画像であり、「Debit Note」のタイトルで示される画像は、保険金請求書発行履歴表示画面画像である。
【００６１】
一方、画像取得バッチ処理は、一定時間ごとに実行されるため、キャビネット明細画面３０４に表示させる画面画像が、画面画像格納部１０４に存在しないこともある。したがって、Ｓ９０８において、キャビネット明細画面３０４に表示させる画面画像が、画面画像格納部１０４に存在しないと判定された場合、処理はＳ９０９に進み、キャビネット画面画像作成部１０５が、画面画像を作成する。このＳ９０９の画面画像作成処理について、図１０を参照して、次に説明する。
【００６２】
図１０は、本実施形態に係るビジュアルキャビネットシステム１００におけるキャビネット画面画像作成部１０５の処理を示すフロー図である。
【００６３】
まず、画像取得用サイト１０７では、データＩＤを含むＵＲＬに対して各ＨＴＭＬが記述されるため、図９のＳ９０６において受信した対象とするデータの識別番号（データＩＤ）から、画像取得用サイト１０７のＵＲＬを特定する（Ｓ１００１）。
【００６４】
次いで、画像取得用サイト１０７にログインして、対象とするデータの識別番号（データＩＤ）により特定されたＵＲＬにアクセスし、ユーザに表示するか否かに関わらず、当該データに関する全てのＨＴＭＬ画面（本実施形態では、４つの画面）用のＨＴＭＬをＷＥＢ画面作成部３０９に記述させる（Ｓ１００２）。ここで、セキュリティの目的上、画像取得用サイト１０７にログインするためには、認証が行われるが、当該処理を実行するためのプログラムには、認証に必要なＩＤおよびパスワードが設定されているため、ログイン認証ではじかれることはない。
【００６５】
次いで、周知のキャプチャソフトを用いて、Ｓ１００２にて記述されたＨＴＭＬにより表されるＨＴＭＬ画面の各画面画像ファイル（本実施形態ではｇｉｆファイル）を作成する（Ｓ１００３）。この画面画像ファイルは、契約者アカウントと、データの識別番号（データＩＤ）と、画面番号とから一意になるようにファイル名が決定される。次いで、作成した各画面画像ファイルを画面画像格納部１０４の契約者アカウント別フォルダ（ディレクトリ）に格納して（Ｓ１００４）、図９のＳ９１０に進む。
【００６６】
こうした処理により、例えば、図１６に示されるようなキャビネット明細画面３０４がユーザ端末の出力画面に表示される。図１６には、最新のデータに対応した４つの画面画像が表示されており、そのうちの任意の１つをクリックすることにより、ＷＥＢ画面作成部１０３が作成した、データ明細表示画面３０５、履歴表示画面３０６、添付ファイル表示画面３０７、および、保険金請求書発行履歴表示画面３０８のうちの１つの画面に遷移する。
【００６７】
図１６に示されるキャビネット明細画面３０４において、例えば、「Attachment」をクリックした場合、図１７に示されるような添付ファイル表示画面３０７が表示されることになる。
【００６８】
また、図１６に示されるキャビネット明細画面３０４において、右下にあるプルダウンから任意の項目を１つ選択して、「GO」ボタンをクリックすることにより、ＷＥＢ画面作成部１０３が作成した、その項目に対応する画面に遷移する。例えば、図１８に示されるキャビネット明細画面３０４において、プルダウンから「Debit Note」を選択して、「GO」ボタンをクリックした場合、図１９に示されるような保険金請求書発行履歴表示画面３０８が表示されることになる。
【００６９】
以上説明したように、本発明によれば、インターネットを介してデータ内容の明細を参照する際に、瞬時にデータ内容の明細の概要を視覚的に把握することが可能になる。また、本発明によれば、ユーザごとの種別により格納されている画面画像を個々のユーザごとのニーズに応じた種類及びレイアウトで表示することが可能となる。
【図面の簡単な説明】
【００７０】
【図１】本実施形態に係るビジュアルキャビネットシステムの構成を示すブロック図である。
【図２】本実施形態に係るビジュアルキャビネットシステムを構成するサーバコンピュータのハードウェア構成の一例を示すブロック図である。
【図３】本実施形態に係るビジュアルキャビネットシステムを構成するＷＥＢサーバのより詳細な構成を示すブロック図である。
【図４】本実施形態に係るビジュアルキャビネットシステムを構成するＷＥＢサーバにおける画面画像格納部の説明図である。
【図５】本実施形態に係るビジュアルキャビネットシステムを構成するデータベースサーバのデータベースにおけるユーザマスタテーブルの説明図である。
【図６】本実施形態に係るビジュアルキャビネットシステムを構成するデータベースサーバのデータベースにおけるデータテーブルの説明図である。
【図７】本実施形態に係るビジュアルキャビネットシステムを構成するデータベースサーバのデータベースにおける表示パターンマスタテーブルの説明図である。
【図８】本実施形態に係るビジュアルキャビネットシステムにおける画像取得バッチ処理部の処理を示すフロー図である。
【図９】本実施形態に係るビジュアルキャビネットシステムにより提供されるキャビネット明細画面を作成するプロセスを示すフロー図である。
【図１０】本実施形態に係るビジュアルキャビネットシステムにおけるキャビネット画面画像作成部の処理を示すフロー図である。
【図１１】本実施形態に係るビジュアルキャビネットシステムにより提供されるユーザＩＤ／パスワード入力画面の一例を示す図である。
【図１２】本実施形態に係るビジュアルキャビネットシステムにより提供されるメニュー画面の一例を示す図である。
【図１３】本実施形態に係るビジュアルキャビネットシステムにより提供されるキャビネット一覧画面の一例を示す図である。
【図１４】本実施形態に係るビジュアルキャビネットシステムにより提供されるキャビネット一覧画面の別の例を示す図である。
【図１５】本実施形態に係るビジュアルキャビネットシステムにより提供されるキャビネット一覧画面のさらに別の例を示す図である。
【図１６】本実施形態に係るビジュアルキャビネットシステムにより提供されるキャビネット明細画面の一例を示す図である。
【図１７】本実施形態に係るビジュアルキャビネットシステムにより提供される添付ファイル表示画面の一例を示す図である。
【図１８】本実施形態に係るビジュアルキャビネットシステムにより提供されるキャビネット明細画面の別の例を示す図である。
【図１９】本実施形態に係るビジュアルキャビネットシステムにより提供される保険金請求書発行履歴表示画面の一例を示す図である。
【符号の説明】
【００７１】
１００  ビジュアルキャビネットシステム
１０１  ＷＥＢサーバ
１０２  契約者閲覧用サイト
１０３  ＷＥＢ画面作成部
１０４  画面画像格納部
１０５  キャビネット画面画像作成部
１０６  ユーザ認証部
１０７  画像取得用サイト
１０８  画像取得バッチ処理部
１１０  データベースサーバ
１１１  データベース
１１２  インターネット
１１３ａ〜１１３ｎ  ユーザ端末
２０１  ＣＰＵ
２０２  ＲＯＭ
２０３  通信Ｉ／Ｆ
２０６  ＲＡＭ
２０７  入出力Ｉ／Ｆ
２０９  ハードディスク
２１２  プログラムメモリ
２１３  バス
３０１  ユーザＩＤ／パスワード入力画面
３０２  メニュー画面
３０３  キャビネット一覧画面
３０４  キャビネット明細画面
３０５  データ明細表示画面
３０６  履歴表示画面
３０７  添付ファイル表示画面
３０８  保険金請求書発行履歴表示画面
３０９  ＷＥＢ画面作成部
５００  ユーザマスタテーブル
６００  データテーブル
７００  表示パターンマスタテーブル
【図１】
2008276419.tif 000003
【図２】
2008276419.tif 000004
【図３】
2008276419.tif 000005
【図４】
2008276419.tif 000006
【図５】
2008276419.tif 000007
【図６】
2008276419.tif 000008
【図７】
2008276419.tif 000009
【図８】
2008276419.tif 000010
【図９】
2008276419.tif 000011
【図１０】
2008276419.tif 000012
【図１１】
2008276419.tif 000013
【図１２】
2008276419.tif 000014
【図１３】
2008276419.tif 000015
【図１４】
2008276419.tif 000016
【図１５】
2008276419.tif 000017
【図１６】
2008276419.tif 000018
【図１７】
2008276419.tif 000019
【図１８】
2008276419.tif 000020
【図１９】
2008276419.tif 000021